(57)【要約】【課題】アナログ仕様のＥＤＩＤデータおよびデジタル仕様のＥＤＩＤデータを記憶し、かつ、外部からの信号を受けるコネクタにおいて通常と異なる電圧変化が生じてもその電圧変化の影響を回避可能な電子機器を提供する。【解決手段】ＣＰＵ１３は、記憶部３４から出力されるデータ（再生仕様情報）に基づいて再生部１０を制御することにより、再生部の動作モードを第１および第２のモードのうち、ソース機器１５０から出力される映像信号（アナログ映像信号またはデジタル映像信号）に対応するモードに設定する。ソース機器１５０から出力される映像信号に対応する再生部１０の動作モードが第１のモードである場合には、ＣＰＵ１３は再生部１０の動作モードを第１のモードに設定する期間において端子Ｔ１が端子Ｔ２（電圧ノードＮ）に接続されるように切替回路３３を制御する。【選択図】図１
2008304794.tif 000002
【特許請求の範囲】
【請求項１】
アナログ映像信号およびデジタル映像信号を再生可能であり、かつ前記アナログ映像信号および前記デジタル映像信号の一方の映像信号を出力する外部機器から、前記一方の映像信号に対応する再生仕様情報の要求を表わす要求信号を受けた場合に、前記再生仕様情報を出力する電子機器であって、
前記アナログ映像信号の再生仕様を示す情報と、前記アナログ映像信号に基づき再生される画像の色調整のための情報とを含む第１の情報と、前記デジタル映像信号の再生仕様を示す情報を含む第２の情報とを不揮発的に記憶し、かつ前記第１および第２の情報の出力を制御するための制御端子を含み、前記制御端子に第１のレベルの電圧が印加される場合に前記第１の情報を出力し、前記制御端子に前記第１のレベルよりも低いレベルである第２のレベルの電圧が印加される場合に前記第２の情報を出力する記憶部と、
前記外部機器に接続され、前記第１および第２のレベルの間で電圧レベルが変化する前記要求信号と前記一方の映像信号とが前記外部機器から入力されるとともに、前記記憶部から出力された前記第１および第２の情報の一方を前記再生仕様情報として前記外部機器に出力するコネクタと、
前記制御端子の接続先を、前記第１のレベルの電圧が与えられた電圧ノードと、前記コネクタとの間で切替える切替部と、
前記一方の映像信号を再生するための動作モードとして、前記アナログ映像信号を再生するための第１のモードと、前記デジタル映像信号を再生するための第２のモードとを有する再生部と、
前記切替部を制御することにより前記制御端子を前記コネクタに接続させるとともに前記制御端子に前記要求信号を入力させて、前記記憶部から出力される前記再生仕様情報に基づいて前記再生部を制御することにより、前記再生部の前記動作モードを前記第１および第２のモードのうちの前記一方の映像信号に対応するモードに設定する制御部とを備え、
前記制御部は、前記要求信号を受けることにより前記対応するモードが前記第１および第２のモードのいずれであるかを判定し、前記対応するモードが前記第１のモードである場合には、前記再生部の前記動作モードを前記第１のモードに設定する期間において前記制御端子が前記電圧ノードに接続されるように前記切替部を制御し、前記再生部の前記動作モードを前記第１のモードに設定した後に、前記制御端子が前記コネクタに接続されるように前記切替部を制御する、電子機器。
【請求項２】
互いに種類が異なる第１および第２の映像信号を再生可能であり、かつ前記第１および第２の映像信号の一方の映像信号を出力する外部機器から、前記一方の映像信号に対応する再生仕様情報の要求を表わす要求信号を受けた場合に、前記再生仕様情報を出力する電子機器であって、
前記第１の映像信号の再生仕様を示す情報を含む第１の情報と、前記第２の映像信号の再生仕様を示す情報を含む第２の情報とを不揮発的に記憶し、かつ前記第１および第２の情報の出力を制御するための制御端子を含み、前記制御端子に第１のレベルの電圧が印加される場合に前記第１の情報を出力し、前記制御端子に第２のレベルの電圧が印加される場合に前記第２の情報を出力する記憶部と、
前記外部機器に接続され、前記第１および第２のレベルの間で電圧レベルが変化する前記要求信号と前記一方の映像信号とが前記外部機器から入力されるとともに、前記記憶部から出力された前記第１および第２の情報の一方を前記再生仕様情報として前記外部機器に出力するコネクタと、
前記制御端子の接続先を、前記第１のレベルの電圧が与えられた電圧ノードと、前記コネクタとの間で切替える切替部と、
前記一方の映像信号を再生するための動作モードとして、前記第１の映像信号を再生するための第１のモードと、前記第２の映像信号を再生するための第２のモードとを有する再生部と、
前記切替部を制御することにより前記制御端子を前記コネクタに接続させるとともに前記制御端子に前記要求信号を入力させて、前記記憶部から出力される前記再生仕様情報に基づいて前記再生部を制御することにより、前記再生部の前記動作モードを前記第１および第２のモードのうちの前記一方の映像信号に対応するモードに設定する制御部とを備え、
前記制御部は、前記要求信号を受けることにより前記対応するモードが前記第１および第２のモードのいずれであるかを判定し、前記対応するモードが前記第１のモードである場合には、前記再生部の前記動作モードを前記第１のモードに設定する期間において前記制御端子が前記電圧ノードに接続されるように前記切替部を制御し、前記再生部の前記動作モードを前記第１のモードに設定した後に、前記制御端子が前記コネクタに接続されるように前記切替部を制御する、電子機器。
【請求項３】
前記切替部は、さらに、前記制御端子の接続先を、前記第２のレベルの電圧が与えられる他の電圧ノードに設定することが可能であり、
前記制御部は、前記対応するモードが前記第２のモードである場合には、前記再生部の前記動作モードを前記第２のモードに設定する期間において前記制御端子が前記他の電圧ノードに接続されるように前記切替部を制御し、前記再生部の前記動作モードを前記第２のモードに設定した後に、前記制御端子が前記コネクタとなるように前記切替部を制御する、請求項２に記載の電子機器。
【請求項４】
前記第２のレベルは、前記第１のレベルよりも低いレベルである、請求項２に記載の電子機器。
【請求項５】
前記第１の映像信号は、アナログ映像信号であり、
前記第２の映像信号は、デジタル映像信号である、請求項２から４のいずれか１項に記載の電子機器。
【請求項６】
前記第１の情報は、前記アナログ映像信号に基づき再生される画像の色調整のための情報をさらに含む、請求項５に記載の電子機器。
【請求項７】
前記電子機器は、プロジェクタである、請求項２から６のいずれか１項に記載の電子機器。
【発明の詳細な説明】
【技術分野】
【０００１】
本発明は、電子機器に関し、特に、予め記憶した複数の仕様情報を切替えることにより異なる種類の映像信号に対応可能な電子機器に関する。
【背景技術】
【０００２】
デジタル映像（または音声）信号を伝送するための規格としては、たとえばＤＶＩ（Digital visual Interface）規格が用いられている。近年ではＤＶＩ規格を改良したＨＤＭＩ（High Definition Multimedia Interface）規格が採用されつつある。
【０００３】
ＨＤＭＩ規格に準じた２つの電子機器間で映像信号を送受信する場合、その信号の送信装置は受信装置からＥＤＩＤ（Extended Display Identification）と呼ばれるデータを取得する。これにより送信装置は、受信装置の受信仕様に応じた形態で映像信号を出力することができる。ＥＤＩＤデータに含まれる情報としては、たとえば受信側となる電子機器の仕様・特性（解像度、アスペクト比、フルＨＤ（High Definition）対応の別など）を示す情報などがある。
【０００４】
ＥＤＩＤデータを用いた電子機器の制御に関する技術は、たとえば以下の文献に開示されている。特開２００３−２９７２９号公報（特許文献１）に記載のディスプレイモニタ用入力チャネル切替制御装置は、コンピュータから入力されたビデオ信号がアナログ仕様およびデジタル仕様のいずれに準拠した信号であるかを判定し、その判定結果に基づいて、ＥＤＩＤデータ、入力チャネル、およびＯＳＤ（On Screen Display）をそのビデオ信号の仕様に応じたものに切換える。これによりコンピュータの出力信号の仕様とディスプレイモニタの入力チャネルとの不整合による問題（たとえば画面に何も表示されないという問題）を回避することができる。
【０００５】
特開２００５−９１７９５号公報（特許文献２）に記載の表示装置は、表示信号のインターフェース形式ごとに表示に関する仕様情報を記憶する記憶手段と、表示信号のインターフェース形式を判別する判別手段と、記憶手段の記憶する仕様情報の中から判別手段が生成した判別信号に対応した仕様情報を選択して、その情報を記憶手段から出力させる出力手段とを備える。仕様情報の選択は、記憶手段、判別手段および出力手段がすべて動作可能な状態において判別信号のみに基づいて行なわれる。これによりこの表示装置はＤＤＣ（Display Data Channel）機能を実現することができる。
【０００６】
特開２００６−１７９９７３号公報（特許文献３）に記載の電子機器は、複数種類の受信仕様を示すＥＤＩＤデータをメモリ部に格納し、自身の受信仕様が設定されたときにメモリ部から設定仕様を示すデータを取り出してＨＤＭＩ送受信部内に記憶させる。さらに上述の電子機器は外部からのＥＤＩＤデータの取得要求に応じて、ＨＤＭＩ送受信部内のＥＤＩＤデータを出力する。これにより複数種類の受信仕様ごとに別々のＥＤＩＤデータを格納しなくてもよくなるので製造作業や出荷作業を容易化することができる。
【特許文献１】特開２００３−２９７２９号公報
【特許文献２】特開２００５−９１７９５号公報
【特許文献３】特開２００６−１７９９７３号公報
【発明の開示】
【発明が解決しようとする課題】
【０００７】
ＨＤＭＩ規格に準拠し、かつ、デジタル映像信号とアナログ映像信号とを受信可能な電子機器（以下、受信装置と呼ぶ）は、たとえばアナログ映像信号の受信仕様を示すＥＤＩＤデータと、デジタル映像信号の受信仕様を示すＥＤＩＤデータとをその内部に記憶している。このような受信装置の中には、そのＥＤＩＤデータに基づいて自身の再生仕様を設定するものがある。これにより受信装置は、送信装置からの映像信号に対応することが可能になる。
【０００８】
一般的に、送信装置から受信装置へのＥＤＩＤデータの取得要求はケーブルを介して伝送される。受信装置にはそのケーブルに接続され、かつ複数の端子を有するコネクタが設けられる。複数の端子のうち取得要求に対応する端子の電圧レベルに基づいて、受信装置は送信装置に出力すべきＥＤＩＤデータを判別する。
【０００９】
しかしながら、コネクタからケーブルが外れた場合、あるいはコネクタとケーブルとの接続が不十分な場合には、その端子の電圧レベルが変動する可能性がある。この場合、以下のような問題が発生する可能性がある。
【００１０】
受信装置はアナログ映像信号に対応するＥＤＩＤデータを一旦出力しているにも拘らず、デジタル映像信号に対応するＥＤＩＤデータを出力する。このことは、受信装置の再生仕様が変更されることを意味する。これによりケーブルがコネクタに再び接続し、かつ、送信装置からアナログ仕様のビデオ信号が送られた場合に、受信装置での再生処理が適切に行なわれない可能性がある。
【００１１】
それゆえに、本発明の目的は、アナログ仕様のＥＤＩＤデータおよびデジタル仕様のＥＤＩＤデータを記憶し、かつ、外部からの信号を受けるコネクタにおいて通常と異なる電圧変化が生じてもその電圧変化の影響を回避可能な電子機器を提供することである。
【課題を解決するための手段】
【００１２】
本発明は要約すれば、アナログ映像信号およびデジタル映像信号を再生可能であり、かつアナログ映像信号およびデジタル映像信号の一方の映像信号を出力する外部機器から、一方の映像信号に対応する再生仕様情報の要求を表わす要求信号を受けた場合に、再生仕様情報を出力する電子機器である。電子機器は、記憶部と、コネクタと、切替部と、再生部と、制御部とを備える。記憶部は、アナログ映像信号の再生仕様を示す情報と、アナログ映像信号に基づき再生される画像の色調整のための情報とを含む第１の情報と、デジタル映像信号の再生仕様を示す情報を含む第２の情報とを不揮発的に記憶する。記憶部は、第１および第２の情報の出力を制御するための制御端子を含む。記憶部は、制御端子に第１のレベルの電圧が印加される場合に第１の情報を出力し、制御端子に第１のレベルよりも低いレベルである第２のレベルの電圧が印加される場合に第２の情報を出力する。コネクタは、外部機器に接続され、第１および第２のレベルの間で電圧レベルが変化する要求信号と一方の映像信号とが外部機器から入力されるとともに、記憶部から出力された第１および第２の情報の一方を再生仕様情報として外部機器に出力する。切替部は、制御端子の接続先を、第１のレベルの電圧が与えられた電圧ノードと、コネクタとの間で切替える。再生部は、一方の映像信号を再生するための動作モードとして、アナログ映像信号を再生するための第１のモードと、デジタル映像信号を再生するための第２のモードとを有する。制御部は、切替部を制御することにより制御端子をコネクタに接続させるとともに制御端子に要求信号を入力させる。制御部は、記憶部から出力される再生仕様情報に基づいて再生部を制御することにより、再生部の動作モードを第１および第２のモードのうちの一方の映像信号に対応するモードに設定する。制御部は、要求信号を受けることにより対応するモードが第１および第２のモードのいずれであるかを判定する。制御部は、対応するモードが第１のモードである場合には、再生部の動作モードを第１のモードに設定する期間において制御端子が電圧ノードに接続されるように切替部を制御する。制御部は、再生部の動作モードを第１のモードに設定した後に、制御端子がコネクタに接続されるように切替部を制御する。
【００１３】
本発明の他の局面に従うと、互いに種類が異なる第１および第２の映像信号を再生可能であり、かつ第１および第２の映像信号の一方の映像信号を出力する外部機器から、一方の映像信号に対応する再生仕様情報の要求を表わす要求信号を受けた場合に、再生仕様情報を出力する電子機器である。電子機器は、記憶部と、コネクタと、切替部と、再生部と、制御部とを備える。記憶部は、第１の映像信号の再生仕様を示す情報を含む第１の情報と、第２の映像信号の再生仕様を示す情報を含む第２の情報とを不揮発的に記憶する。記憶部は、第１および第２の情報の出力を制御するための制御端子を含む。記憶部は、制御端子に第１のレベルの電圧が印加される場合に第１の情報を出力し、制御端子に第２のレベルの電圧が印加される場合に第２の情報を出力する。コネクタは、外部機器に接続され、第１および第２のレベルの間で電圧レベルが変化する要求信号と一方の映像信号とが外部機器から入力されるとともに、記憶部から出力された第１および第２の情報の一方を再生仕様情報として外部機器に出力する。切替部は、制御端子の接続先を、第１のレベルの電圧が与えられた電圧ノードと、コネクタとの間で切替える。再生部は、一方の映像信号を再生するための動作モードとして、第１の映像信号を再生するための第１のモードと、第２の映像信号を再生するための第２のモードとを有する。制御部は、切替部を制御することにより制御端子をコネクタに接続させるとともに制御端子に要求信号を入力させる。制御部は、記憶部から出力される再生仕様情報に基づいて再生部を制御することにより、再生部の動作モードを第１および第２のモードのうちの一方の映像信号に対応するモードに設定する。制御部は、要求信号を受けることにより対応するモードが第１および第２のモードのいずれであるかを判定する。制御部は、対応するモードが第１のモードである場合には、再生部の動作モードを第１のモードに設定する期間において制御端子が電圧ノードに接続されるように切替部を制御する。制御部は、再生部の動作モードを第１のモードに設定した後に、制御端子がコネクタに接続されるように切替部を制御する。
【００１４】
好ましくは、切替部は、さらに、制御端子の接続先を、第２のレベルの電圧が与えられる他の電圧ノードに設定することが可能である。制御部は、対応するモードが第２のモードである場合には、再生部の動作モードを第２のモードに設定する期間において制御端子が他の電圧ノードに接続されるように切替部を制御する。制御部は、再生部の動作モードを第２のモードに設定した後に、制御端子がコネクタとなるように切替部を制御する。
【００１５】
好ましくは、第２のレベルは、第１のレベルよりも低いレベルである。
より好ましくは、第１の映像信号は、アナログ映像信号であり、第２の映像信号は、デジタル映像信号である。
【００１６】
さらに好ましくは、第１の情報は、アナログ映像信号に基づき再生される画像の色調整のための情報をさらに含む。
【００１７】
さらに好ましくは、電子機器は、プロジェクタである。
【発明の効果】
【００１８】
本発明によれば、アナログ仕様のＥＤＩＤデータおよびデジタル仕様のＥＤＩＤデータを記憶した電子機器において、外部からの信号を受けるコネクタにおいて通常と異なる電圧変化が生じてもその電圧変化の影響を回避することができる。
【発明を実施するための最良の形態】
【００１９】
以下、本発明に係る実施の形態について図面を参照して説明する。以下の説明では本実施形態に係る電子機器の具体例としてプロジェクタを示す。なお、図中の同一または相当部分については、同一符号を付してその説明は繰返さない。また、以下に示す数値は一例であって、本実施の形態を限定するものではない。
【００２０】
図１は、本実施形態に係る電子機器の一例であるプロジェクタの構成を表わす図である。図１を参照して、プロジェクタ１００は、コネクタ１と、メインボード５と、光源２０と、投光ユニット３０と、操作部７０とを備える。
【００２１】
プロジェクタ１００は、ソース機器１５０からＨＤＭＩ規格に準拠した形態の映像信号を再生する機能を有する。プロジェクタ１００はアナログ映像信号およびデジタル映像信号の両方を再生可能である。よってソース機器１５０から出力される映像信号はアナログ信号およびデジタル信号のいずれでもよい。
【００２２】
ソース機器１５０は、プロジェクタ１００に映像信号を送信するに先立ち、プロジェクタ１００に対してＥＤＩＤデータを出力するよう要求する。このＥＤＩＤデータはプロジェクタ１００の再生仕様を示す情報に相当する。
【００２３】
ソース機器１５０はＥＤＩＤデータの取得要求を示す要求信号を送信する。ソース機器１５０からの要求信号はケーブル２を介してコネクタ１に入力される。プロジェクタ１００の内部には、アナログ映像信号を再生するためのプロジェクタ１００の仕様を示すＥＤＩＤデータ（以下、「アナログＥＤＩＤデータ」と称する）および、デジタル映像信号を再生するためのプロジェクタ１００の仕様を示すＥＤＩＤデータ（以下、「デジタルＥＤＩＤデータ」と称する）が格納されている。これらのＥＤＩＤデータには、たとえばプロジェクタ１００の仕様・特性（解像度、アスペクト比、フルＨＤ（High Definition）対応の別など）を示す情報が含まれる。
【００２４】
プロジェクタ１００は受信した要求信号の電圧レベルがＨ（論理ハイ）レベルの場合にアナログＥＤＩＤデータを出力する。一方、プロジェクタ１００は受信した要求信号の電圧レベルがＬ（論理ロー）レベルの場合にデジタルＥＤＩＤデータを出力する。アナログＥＤＩＤデータまたはデジタルＥＤＩＤデータはコネクタ１から出力され、ケーブル２を伝送することによりソース機器１５０に入力される。ここで、Ｈレベルの電圧とは所定のしきい電圧（たとえば約１．７Ｖ）より高い電圧であり、Ｌレベルの電圧とはそのしきい電圧以下の電圧である。
【００２５】
なお、コネクタ１としては、たとえばアナログ映像信号およびデジタル映像信号の両方に対応可能なＤＶＩ−Ｉコネクタを用いてもよいし、Ｍ１コネクタを用いてもよい。
【００２６】
操作部７０は、ユーザによるプロジェクタ１００の操作（たとえばプロジェクタへの電源投入、プロジェクタの停止等）が行なわれると、その操作内容を示す情報をＣＰＵ１３に出力する。ＣＰＵ１３はその情報に応じた処理を行なう。
【００２７】
メインボード５は、再生部１０と、ＣＰＵ１３（Central Processing Unit）と、メモリ１４とを含む。再生部１０は、Ａ／Ｄ変換部１１と、画像処理部１２と、チャネル切替部１５とを含む。
【００２８】
再生部１０は、ソース機器１５０から入力される映像信号を再生するための動作モードとしてアナログ映像信号を再生するための第１のモードと、デジタル映像信号を再生するための第２のモードとを有する。すなわち再生部１０は、動作モードが第１のモードに設定された場合にはアナログ映像信号を再生し、動作モードが第２のモードに設定された場合にはデジタル映像信号を再生する。
【００２９】
チャネル切替部１５は、ＣＰＵ１３の制御に応じて、コネクタ１から受けた（ソース機器１５０から受けた）映像信号の出力先をＡ／Ｄ変換部１１と画像処理部１２との間で切替える。ＣＰＵ１３は、チャネル切替部１５に入力された映像信号がアナログ映像信号である場合には、そのアナログ映像信号（図１に示す信号ＡＳ）がチャネル切替部１５からＡ／Ｄ変換部１１に出力されるようチャネル切替部１５を制御する。このようにチャネル切替部１５が制御された状態が再生部１０の第１のモードに対応する。
【００３０】
ＣＰＵ１３は、チャネル切替部１５に入力された映像信号がデジタル映像信号である場合には、そのデジタル映像信号（図１に示す信号ＤＳ）がチャネル切替部１５から画像処理部１２に出力されるようチャネル切替部１５を制御する。このようにチャネル切替部１５が制御された状態が再生部１０の第２のモードに対応する。
【００３１】
Ａ／Ｄ変換部１１は、ソース機器１５０から入力されるアナログ映像信号をデジタル化する。画像処理部１２は、Ａ／Ｄ変換部１１から出力されるデジタル化されたデータ、またはチャネル切替部１５から入力されたデジタルデータに基づいて、スクリーン（図示せず）の大きさに合わせた画像を生成する。
【００３２】
なお、Ａ／Ｄ変換部１１および画像処理部１２の処理によってアナログ映像信号から画像が生成される場合、画像処理部１２は画像の色（具体的にはＲＧＢゲイン）を調整する。画像処理部１２はその画像の色を調整するためのキャリブレーションデータをＣＰＵ１３から受け、かつ、このデータに基づいてＡ／Ｄ変換部１１から出力されるデジタルデータを調整する。
【００３３】
メモリ１４は、たとえばＣＰＵ１３の処理に必要なデータを一時的に記憶するＲＡＭ（Random Access Memory）であってもよいし、ＣＰＵ１３に処理を実行させるためのプログラムを不揮発的に記憶するＲＯＭ（Read Only Memory）であってもよい。
【００３４】
光源２０から出力された光は、投光ユニット３０に送られる。投光ユニット３０は、画像処理部１２から出力される画像に従って光源２０から出力される光を空間的に変調し、前方に配置されたスクリーンに投射する。
【００３５】
投光ユニット３０は、具体的には、ＤＭＤ３１（Digital Mirror Device）と、投射レンズ３２と、切替回路３３と、記憶部３４とを含む。
【００３６】
ＤＭＤ３１は、個別に制御される複数のマイクロミラーを備える。各マイクロミラーは１画素に相当する。マイクロミラーは、オンのときには光源２０からの光を外部に反射し、オフのときには光源２０からの光を外部に反射しない。
【００３７】
切替回路３３は、ＣＰＵ１３の制御によって端子Ｔ１の接続先を端子Ｔ２と端子Ｔ３との間で切替える。端子Ｔ２は上述のＨレベルの電圧（たとえば３．３Ｖの電圧）が与えられる電圧ノードＮに接続される。この電圧ノードＮはたとえばＣＰＵ１３に電源電圧を供給する電源回路により実現される。
【００３８】
一方、端子Ｔ３はコネクタに接続されることによりソース機器１５０からの要求信号を受ける。さらに端子Ｔ３はＣＰＵ１３にも接続される。これによりＣＰＵ１３はソース機器１５０からの要求信号を受けることができる。ＣＰＵ１３は、その要求信号の電圧レベルに基づいて、ソース機器１５０がアナログＥＤＩＤデータおよびデジタルＥＤＩＤデータのいずれの取得を要求しているかを把握する。
【００３９】
記憶部３４は、端子Ｔ１と、メモリ回路３５，３６と、インバータ３７とを含む。メモリ回路３５の制御端子は端子Ｔ１に接続される。インバータ３７の入力端子は端子Ｔ１に接続され、インバータ３７の出力端子はメモリ回路３６の制御端子に接続される。すなわち、端子Ｔ１は、記憶部３４の制御端子に相当する。
【００４０】
メモリ回路３５は、アナログＥＤＩＤデータと、キャリブレーションデータとを不揮発的に記憶する。メモリ回路３６はデジタルＥＤＩＤデータを不揮発的に記憶する。たとえばメモリ回路３５，３６はＥＥＰＲＯＭ（Electrically Erasable Programmable Read Only Memory）である。
【００４１】
メモリ回路３５，３６の各々は、自身の制御端子にＨレベルの電圧が入力された場合に記憶するデータを出力し、Ｌレベルの電圧が入力された場合にはそのデータを出力しない。
【００４２】
メモリ回路３５は端子Ｔ１の電圧レベルがＨレベルの場合にアナログＥＤＩＤデータおよびキャリブレーションデータを含むデータＤ１を出力し、端子Ｔ１の電圧レベルがＬレベルの場合にはデータＤ１を出力しない。
【００４３】
端子Ｔ１の電圧レベルがＬレベルの場合には、インバータ３７の出力電圧のレベルはＨレベルとなる。よってメモリ回路３６はデジタルＥＤＩＤデータを含むデータＤ２を出力する。一方、端子Ｔ１の電圧レベルがＨレベルの場合には、インバータ３７の出力電圧のレベルがＬレベルとなるためメモリ回路３６はデータＤ２を出力しない。
【００４４】
要するに記憶部３４は、端子Ｔ１の電圧レベルがＨレベルのときにデータＤ１を出力し、端子Ｔ１の電圧レベルがＬレベルのときにデータＤ２を出力する。
【００４５】
記憶部３４から出力されたデータＤ１（またはＤ２）はコネクタ１から出力され、かつケーブル２を介してソース機器１５０に入力される。これによりソース機器１５０はプロジェクタ１００のＥＤＩＤデータを取得する。さらに、記憶部３４から出力されたデータＤ１（またはＤ２）はＣＰＵ１３に入力される。ＣＰＵ１３は、その受信データに基づいてＡ／Ｄ変換部１１、画像処理部１２およびチャネル切替部１５を制御することにより、再生部１０の動作モードを第１および第２のモードのいずれかに設定する。
【００４６】
ＣＰＵ１３は、まず切替回路３３を制御することにより端子Ｔ１を端子Ｔ３（すなわちコネクタ１）に接続させ、かつ、端子Ｔ１に要求信号を入力させる。端子Ｔ１に要求信号が入力されると、その要求信号の電圧レベルに応じたデータ（データＤ１，Ｄ２のいずれか）が記憶部３４から出力される。ＣＰＵ１３は、記憶部３４から出力されるデータ（再生仕様情報）に基づいて再生部１０を制御することにより、再生部の動作モードを第１および第２のモードのうち、ソース機器１５０から出力される映像信号（アナログ映像信号またはデジタル映像信号）に対応するモードに設定する。
【００４７】
さらに、ＣＰＵ１３は、要求信号の電圧レベルに基づいて、ソース機器１５０から出力される映像信号に対応する再生部１０の動作モードが第１および第２のモードのいずれであるかを判定する。そのモードが第１のモードである場合には、ＣＰＵ１３は再生部１０の動作モードを第１のモードに設定する期間において端子Ｔ１が端子Ｔ２（電圧ノードＮ）に接続されるように切替回路３３を制御する。そしてＣＰＵ１３は、再生部１０の動作モードを第１のモードに設定した後に、端子Ｔ１が端子Ｔ３（コネクタ）に接続されるように切替回路３３を制御する。これにより、ＣＰＵ１３が再生部１０の動作モードを第１のモードに設定する間は、端子Ｔ１の電圧レベルがＨレベルに保たれる。
【００４８】
このようにＣＰＵ１３が切替回路３３の制御を行なうことによって、ＣＰＵ１３が再生部１０の動作モードを第１のモードに設定している間にケーブル２がコネクタ１から外れたり、ケーブルの抜き差しが行なわれたりしても、ＣＰＵ１３は正しく再生部１０の動作モードを設定できる（すなわち動作モードを第１のモードに設定する）ことができる。これにより、ケーブル２がコネクタ１に正しく接続された場合に、プロジェクタ１００はソース機器１５０からのアナログ映像信号を適切に処理することができる。
【００４９】
なお、要求信号の電圧レベルがＬレベルである場合には、ＣＰＵ１３は再生部１０の動作モードを第２のモードに設定している間も端子Ｔ１の接続先を変更しない。このため端子Ｔ１は端子Ｔ３に接続されたままとなる。この場合、ケーブル２がコネクタ１から外れたり、ケーブルの抜き差しが行なわれたりしても、コネクタの信号レベルがＬレベルのまま変化しないことが期待できる。このためケーブル２がコネクタ１に正しく接続された場合に、プロジェクタ１００はソース機器１５０からのデジタル映像信号を適切に処理することが期待できる。
【００５０】
本実施の形態の電子機器では記憶部３４の制御端子（端子Ｔ１）の接続先が、コネクタ１と、所定レベルの電圧が与えられる電圧ノードとの間で切替えられる。このような構成によって得られる効果についてより詳しく説明する。
【００５１】
図２は、本実施の形態の比較例を示す図である。図２を参照して記憶部３４の制御端子はコネクタ１に直接的に接続される。この場合、要求信号の電圧レベルが変化するたびに記憶部３４からは異なるデータが出力される。すなわち、要求信号の電圧レベルがＨレベルである場合にはメモリ回路３５からデータＤ１（アナログＥＤＩＤデータおよびキャリブレーションデータ）が出力され、要求信号の電圧レベルがＬレベルである場合には、メモリ回路３６からデータＤ２（デジタルＥＤＩＤデータ）が出力される。
【００５２】
ソース機器１５０がアナログ映像信号を出力する場合について以下に説明する。この場合、ソース機器１５０はＨレベルの要求信号を出力する。これによりメモリ回路３５からデータＤ１が出力される。ＣＰＵ１３はデータＤ１に基づいて再生部１０（図１参照）の動作モードを設定するための処理を行なう。
【００５３】
しかしながらＣＰＵ１３が上述の処理を行なっている途中においてコネクタ１からケーブル２が外れた場合、要求信号の電圧レベルがＨレベルからＬレベルに変化する可能性が高くなる。要求信号の電圧レベルがＨレベルからＬレベルに変化した場合、メモリ回路３６からデータＤ２が出力される。するとＣＰＵ１３はデータＤ２（デジタルＥＤＩＤデータ）に基づいて再生部１０の動作モードを設定するための処理を行なう。
【００５４】
つまり、再生部１０の動作モードは第１のモードから第２のモードに切替わる。このため、ケーブル２がコネクタ１に再接続され、かつ、アナログ映像信号がプロジェクタ１００に入力されてもプロジェクタ１００がその映像信号を再生できないという問題が生じる。
【００５５】
また、ＣＰＵ１３にデータが２回入力されるため、ＣＰＵ１３の内部ではデータが上書きされる。これによりキャリブレーションデータが消失する。このため、仮にプロジェクタ１００がアナログ映像信号を再生できたとしても再生画像の色調がユーザに違和感を生じさせるようなものになる可能性がある。
【００５６】
しかし本実施の形態では、ＣＰＵ１３が再生部１０の動作モードの設定に関する処理を再生部１０に対して行なっている間は、ＣＰＵ１３によって端子Ｔ１が端子Ｔ２に接続される。このため、ＣＰＵ１３の処理の途中にケーブル２がコネクタ１から外れたりケーブル２の抜き差しが行なわれたりした場合にも端子Ｔ１の電圧レベルはＨレベルに保たれる。これにより記憶部３４からデータＤ１（アナログＥＤＩＤデータおよびキャリブレーションデータ）が一旦出力された後に、記憶部３４からデジタルＥＤＩＤデータが出力されることを防ぐことができる。よって、プロジェクタ１００がアナログ映像信号を適切に再生できないという問題（画像を再生できないという問題、あるいは、再生画像の色調がそれ以前に再生された画像の色調と大きく異なるという問題等）を回避することができる。
【００５７】
図３は、図１に示すＣＰＵ１３の処理を概略的に示すフローチャートである。なお、このフローチャートに示す処理は、たとえばＣＰＵ１３に要求信号が入力されるたびにメインルーチンから呼び出されて実行される。
【００５８】
図３および図１を参照して、ＣＰＵ１３は、ソース機器１５０からの要求信号に基づいて、ソース機器１５０が取得しようとするＥＤＩＤデータの種類（アナログまたはデジタル）を認識する（ステップＳ１）。次にＣＰＵ１３は、そのＥＤＩＤデータの種類がアナログＥＤＩＤデータであるかどうかを判定する（ステップＳ２）。
【００５９】
ＣＰＵ１３は、ソース機器１５０がアナログＥＤＩＤデータを取得しようとする場合（ステップＳ２においてＹＥＳ）、切替回路３３を制御することによって端子Ｔ１と端子Ｔ２とを接続する（ステップＳ３）。続いて、ＣＰＵ１３は記憶部３４（より特定的にはメモリ回路３５）からデータＤ１（アナログＥＤＩＤおよびキャリブレーションデータ）を読出す。さらに、ＣＰＵ１３は、再生部１０の動作モードを第１のモードに設定する（ステップＳ４）。ＣＰＵ１３は再生部１０の動作モードの設定が終了すると切替回路３３を制御することによって端子Ｔ１と端子Ｔ３とを接続する（ステップＳ５）。
【００６０】
一方、ＣＰＵ１３は、ソース機器１５０がデジタルＥＤＩＤデータを取得しようとする場合（ステップＳ２においてＮＯ）、記憶部３４（より特定的にはメモリ回路３６）からデータＤ２（デジタルＥＤＩＤデータ）を読出す。さらに、ＣＰＵ１３は、再生部１０の動作モードを第２のモードに設定する（ステップＳ６）。
【００６１】
ステップＳ５またはステップＳ６の処理が終了すると全体の処理が終了する。
（変形例）
図４は、本実施の形態のプロジェクタの変形例を示す図である。図４を参照して、切替回路３３は、ＣＰＵ１３の制御に応じて端子Ｔ１の接続先を端子Ｔ３，Ｔ２，Ｔ４の間で切替えることができる。端子Ｔ４は、接地ノードに接続されることにより接地電圧が与えられる。
【００６２】
ソース機器１５０がデジタルＥＤＩＤデータを取得する場合において、ＣＰＵ１３は端子Ｔ１と端子Ｔ４とが接続されるように切替回路３３を制御する。これにより端子Ｔ１の電圧レベルはＬレベルに固定される。さらに、ＣＰＵ１３は、再生部１０の動作モードを第２のモードに設定する。ＣＰＵ１３は再生部１０の動作モードの設定が終了すると切替回路３３を制御することによって端子Ｔ１と端子Ｔ３とを接続する。これによりＣＰＵ１３が再生部１０の動作モードを設定する間に、記憶部３４から出力されるデータをデータＤ２のみとすることができる。
【００６３】
ソース機器１５０がアナログＥＤＩＤデータを取得する場合のＣＰＵ１３の動作は上述した動作と同様である。すなわち変形例によれば、ＣＰＵ１３が再生部１０の動作モードを第１および第２のいずれに設定する場合にも記憶部３４の制御端子（端子Ｔ１）の電圧レベルを固定することができる。よって、この変形例によれば、図１に示す構成よりも、コネクタ１の電圧の変動によるプロジェクタの誤動作をより確実に防ぐことができる。
【００６４】
なお、この変形例においては、端子Ｔ１の電圧レベルをＨレベルにもＬレベルにも固定できるため、要求信号の電圧レベルと記憶部３４から出力されるデータとの対応関係は上述した関係のように限定されるものではない。すなわち、要求信号の電圧レベルがＬレベルのときに記憶部３４からデータＤ１が出力され、要求信号の電圧レベルがＨレベルのときに記憶部３４からデータＤ２が出力されるように要求信号の電圧レベルと記憶部３４の出力データとの対応関係が定められてもよい。たとえばメモリ回路３５，３６に記憶されるデータがそれぞれデータＤ２，Ｄ１であれば、このような対応関係が実現される。
【００６５】
また、本実施形態のプロジェクタでは、光を空間的に変調する素子としてＤＭＤを用いたが、これに限定するものではなく、液晶パネルであってもよい。
【００６６】
また、本実施の形態の電子機器はプロジェクタに限定されるものではない。本発明は、２つの異なる再生仕様情報を内部に記憶し、かつ、その２つのデータにそれぞれ基づいた２つの信号再生処理を切替えることが可能な電子機器に対して適用可能である。
【００６７】
さらに、映像信号の種類はアナログ映像信号およびデジタル映像信号と限定されるものではない。異なる種類の映像信号を再生可能であり、かつ、映像信号の種類ごとに再生仕様の情報を記憶する電子機器であれば、本発明が適用可能である。異なる種類の映像信号としては、たとえばＨＤ映像信号とＳＤ（Standard Definition）映像信号とを挙げることができる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本実施形態に係る電子機器の一例であるプロジェクタの構成を表わす図である。
【図２】本実施の形態の比較例を示す図である。
【図３】図１に示すＣＰＵ１３の処理を概略的に示すフローチャートである。
【図４】本実施の形態のプロジェクタの変形例を示す図である。
【符号の説明】
【００７０】
１  コネクタ、２  ケーブル、５  メインボード、１０  再生部、１１  Ａ／Ｄ変換部、１２  画像処理部、１４  メモリ、１５  チャネル切替部、２０  光源、３０  投光ユニット、３２  投射レンズ、３３  切替回路、３４  記憶部、３５，３６  メモリ回路、３７  インバータ、７０  操作部、１００  プロジェクタ、１５０  ソース機器、Ｎ  電圧ノード、Ｔ１〜Ｔ４  端子。
【図１】
2008304794.tif 000003
【図２】
2008304794.tif 000004
【図３】
2008304794.tif 000005
【図４】
2008304794.tif 000006